(57)【要約】【課題】互いに住所を開示せずとも葉書などの送付物を送りあえることを可能とする出力装置等を提供する。【解決手段】出力装置は、送付物の送付先となりうる住所を含まない送付先候補を出力する候補出力部と、選択された送付先候補を識別する識別情報を受け付ける第１受付部と、送付物に記載すべき通信文を受け付ける第２受付部と、送付先候補の住所及び識別情報を対応付けて記憶する記憶部から、受け付けた識別情報に対応付けられた住所を取得する取得部と、取得した住所及び受け付けた通信文を出力する出力部とを備える。【選択図】図２
2018088175.tif 000002
【特許請求の範囲】
【請求項１】
送付物の送付先となりうる住所を含まない送付先候補を出力する候補出力部と、
選択された前記送付先候補を識別する識別情報を受け付ける第１受付部と、
前記送付物に記載すべき通信文を受け付ける第２受付部と、
前記送付先候補の住所及び識別情報を対応付けて記憶する記憶部から、受け付けた識別情報に対応付けられた住所を取得する取得部と、
取得した住所及び受け付けた通信文を出力する出力部と
を備えることを特徴とする出力装置。
【請求項２】
前記第２受付部は前記通信文の書式を定めるひな形を識別するひな形識別情報を受け付け、
前記出力部は受け付けたひな形識別情報を出力する
ことを特徴とする請求項１に記載の出力装置。
【請求項３】
画像データを受け付ける第３受付部
を備えることを特徴とする請求項１又は請求項２に記載の出力装置。
【請求項４】
前記第２受付部は、前記送付物とは異なる物品を識別する物品識別情報を受け付け、
前記出力部は受け付けた物品識別情報を出力する
ことを特徴とする請求項１から請求項３のいずれか一項に記載の出力装置。
【請求項５】
前記送付先候補に含まれないユーザであって、住所を公開していないソーシャルネットワーキングサービスのユーザに対して、招待メッセージを、前記ソーシャルネットワーキングサービスを介して送信する送信部
を備えることを特徴とする請求項１から請求項４のいずれか一項に記載の出力装置。
【請求項６】
前記出力部が前記住所及び前記通信部を出力する毎に、前記送付物の送付者の識別情報及び前記送付者が保有するポイント数を対応付けた記憶部の前記ポイント数を減算する減算部
を備えることを特徴とする請求項１から請求項５のいずれか一項に記載の出力装置。
【請求項７】
招待ＩＤ、並びに招待されるユーザの住所及び氏名を受け付ける第３受付部と、
受け付けた住所及び氏名を含む仮登録データを記憶部に前記招待ＩＤと対応付けて仮登録する登録部と
を備え、
前記出力部は、前記招待ＩＤに基づいて生成された二次元バーコードを出力し、
前記登録部は、前記二次元バーコードに含まれる前記招待ＩＤを取得した場合、取得した招待ＩＤと対応付いた仮登録データをユーザデータとして前記記憶部に記憶する
ことを特徴とする請求項１から請求項６のいずれか一項に記載の出力装置。
【請求項８】
送付物の送付先となりうる送付先候補を出力し、
選択された前記送付先候補を識別する識別情報を受け付け、
前記送付物に記載すべき通信文を受け付け、
前記送付先候補の住所及び識別情報を対応付けて記憶する記憶部から、受け付けた識別情報に対応付けられた住所を取得し、
取得した住所及び受け付けた通信文を出力する
処理をコンピュータに実行させることを特徴とするコンピュータプログラム。
【請求項９】
送付物の送付先となりうる住所を含まない送付先候補を出力し、
選択された前記送付先候補を識別する識別情報を受け付け、
前記送付物に記載すべき通信文を受け付け、
前記送付先候補の住所及び識別情報を対応付けて記憶する記憶部から、受け付けた識別情報に対応付けられた住所を取得し、
取得した住所及び受け付けた通信文の印刷を行なう業者のコンピュータへ出力する
ことを特徴とする送付物の送付方法。
【発明の詳細な説明】
【技術分野】
【０００１】
本発明は、通信文と当該通信文の送付先住所を出力する出力装置等に関する。
【背景技術】
【０００２】
近年、個人情報の保護意識が高まっている。そのため、一般市民は、氏名、住所及び電話番号の開示をなるべく避けるようになっている。一方、インターネットの普及に伴い、オンラインショッピングの利用率が高まっている。オンラインショッピングでは、商品を郵送又は宅配便での配送で受け取ることになる。そのため、実店舗での買い物と異なり、商品のサプライヤに氏名、住所及び電話番号を開示する必要があり、個人情報を多くのサプライヤに知られてしまうという問題がある。このような問題に対して、個人情報を秘匿しつつサプライヤに商品の要求が可能なシステムが提案されている（例えば、特許文献１）。
【先行技術文献】
【特許文献】
【０００３】
【特許文献１】特開２００３−２９６６３７号公報
【発明の概要】
【発明が解決しようとする課題】
【０００４】
一方、インターネットの普及に伴い、ＳＮＳ（Ｓｏｃｉａｌ  Ｎｅｔｗｏｒｋｉｎｇ  Ｓｅｒｖｉｃｅ：ソーシャルネットワーキングサービス）などにより、ネット上での人間関係の構築も進んでいる。ネット上で人間関係では、住所、電話番号を互いに知らせる必要はない。そのため、ネット上で関係を持った人に対して、プレゼントを宅配便で送ったり、ポストカードや封書などの送付物を送ったりするのは、容易ではない。これらの行為をするには、相手の住所が必要となるが、相手が住所を開示するとは限らないからである。また、上述のシステムは、個人間の配送を目的としたものではない。
【０００５】
本発明はこのような事情に鑑みてされたものである。その目的は、互いに住所を開示せずとも送付物を送りあえることを可能とする出力装置等を提供することである。
【課題を解決するための手段】
【０００６】
本発明に係る出力装置は、送付物の送付先となりうる住所を含まない送付先候補を出力する候補出力部と、選択された前記送付先候補を識別する識別情報を受け付ける第１受付部と、前記送付物に記載すべき通信文を受け付ける第２受付部と、前記送付先候補の住所及び識別情報を対応付けて記憶する記憶部から、受け付けた識別情報に対応付けられた住所を取得する取得部と、取得した住所及び受け付けた通信文を出力する出力部とを備えることを特徴とする。
【０００７】
本発明にあっては、住所を含まない送付先候補の中から選択された送付先識別情報と通信文とを受け付け、選択された送付先の識別情報と対応付けられている住所及び通信文を出力するので、互いに住所を開示せずとも送付物を送りあうことが可能となる。
【０００８】
本発明に係る出力装置は、前記第２受付部は前記通信文の書式を定めるひな形を識別するひな形識別情報を受け付け、前記出力部は受け付けたひな形識別情報を出力することを特徴とする。
【０００９】
本発明にあっては、通信文の作成にひな形を利用するので、通信文のフォーマッティングが容易になる。
【００１０】
本発明に係る出力装置は、画像データを受け付ける第３受付部を備えることを特徴とする。
【００１１】
本発明にあっては、受け付けた画像を通信文とともに送付可能となる。
【００１２】
本発明に係る出力装置は、前記第２受付部は、前記送付物とは異なる物品を識別する物品識別情報を受け付け、前記出力部は受け付けた物品識別情報を出力することを特徴とする。
【００１３】
本発明にあっては、通信文の受取人に対して、贈り物などの送付物を送付することが可能となる。
【００１４】
本発明に係る出力装置は、前記送付先候補に含まれないユーザであって、住所を公開していないソーシャルネットワーキングサービスのユーザに対して、招待メッセージを、前記ソーシャルネットワーキングサービスを介して送信する送信部を備えることを特徴とする。
【００１５】
本発明にあっては、ソーシャルネットワーキングサービスを介して、招待メッセージを送信するので、ソーシャルネットワーキングサービス上の友だちを招待可能となる。
【００１６】
本発明に係る出力装置は、前記出力部が前記住所及び前記通信部を出力する毎に、前記送付物の送付者の識別情報及び前記送付者が保有するポイント数を対応付けた記憶部の前記ポイント数を減算する減算部を備えることを特徴とする。
【００１７】
本発明にあっては、送付の対価をポイントで支払うので、送付時には決済手続が不要となる。
【００１８】
本発明に係る出力装置は、招待ＩＤ、並びに招待されるユーザの住所及び氏名を受け付ける第３受付部と、受け付けた住所及び氏名を含む仮登録データを記憶部に前記招待ＩＤと対応付けて仮登録する登録部とを備え、前記出力部は、前記招待ＩＤに基づいて生成された二次元バーコードを出力し、前記登録部は、前記二次元バーコードに含まれる前記招待ＩＤを取得した場合、取得した招待ＩＤと対応付いた仮登録データをユーザデータとして前記記憶部に記憶することを特徴とする。
【００１９】
本発明にあっては、既存ユーザが招待したいユーザの住所及び氏名を入力するので、データ入力に慣れていない新規ユーザも、ユーザ登録が可能となる。
【００２０】
本発明に係るコンピュータプログラムは、送付物の送付先となりうる送付先候補を出力し、選択された前記送付先候補を識別する識別情報を受け付け、前記送付物に記載すべき通信文を受け付け、前記送付先候補の住所及び識別情報を対応付けて記憶する記憶部から、受け付けた識別情報に対応付けられた住所を取得し、取得した住所及び受け付けた通信文を出力する処理をコンピュータに実行させることを特徴とする。
【００２１】
本発明にあっては、互いに住所を開示せずとも送付物を送りあうことが可能となる。
【００２２】
本発明に係る送付物の送付方法は、送付物の送付先となりうる住所を含まない送付先候補を出力し、選択された前記送付先候補を識別する識別情報を受け付け、前記送付物に記載すべき通信文を受け付け、前記送付先候補の住所及び識別情報を対応付けて記憶する記憶部から、受け付けた識別情報に対応付けられた住所を取得し、取得した住所及び受け付けた通信文の印刷を行なう業者のコンピュータへ出力することを特徴とする。
【００２３】
本発明にあっては、互いに住所を開示せずとも送付物を送りあうことが可能となる。
【発明の効果】
【００２４】
本発明にあっては、互いに住所を開示せずとも送付物を送りあうことが可能となる。
【図面の簡単な説明】
【００２５】
【図１】手紙プラットフォームの構成例を示す説明図である。
【図２】出力サーバのハードウェア構成例を示すブロック図である。
【図３】ユーザＤＢのレコードレイアウトの一例を示す説明図である。
【図４】友だちＤＢのレコードレイアウトの一例を示す説明図である。
【図５】カードＤＢのレコードレイアウト一例を示す説明図である。
【図６】ホーム画面の一例を示す説明図である。
【図７】形式選択画面の一例を示す説明図である。
【図８】デザイン選択画面の一例を示す説明図である。
【図９】カード作成画面の一例を示す説明図である。
【図１０】宛先選択画面の一例を示す説明図である。
【図１１】確認画面の一例を示す説明図である。
【図１２】メイン処理の手順を示すフローチャートである。
【図１３】作成処理の手順を示すフローチャートである。
【図１４】友だち画面の一例を示す説明図である。
【図１５】友だち処理の手順を示すフローチャートである。
【図１６】選択画面の一例を示す説明図である。
【図１７】作成処理の手順を示すフローチャートである。
【図１８】ギフト選択画面の一例を示す説明図である。
【図１９】作成処理の手順を示すフローチャートである。
【図２０】招待画面の一例を示す説明図である。
【図２１】友だち処理の手順を示すフローチャートである。
【図２２】マイアドレス画面の一例を示す説明図である。
【図２３】マイアドレスＤＢのレコードレイアウトの一例を示す説明図である。
【図２４】作成処理の手順を示すフローチャートである。
【図２５】本登録処理の手順を示すフローチャートである。
【図２６】ユーザＤＢのレコードレイアウトの他の例を示す説明図である。
【図２７】住所ＤＢのレコードレイアウトの一例を示す説明図である。
【図２８】ＩＤ変換ＤＢのレコードレイアウトの一例を示す説明図である。
【発明を実施するための形態】
【００２６】
（実施の形態１）
以下、実施の形態を、図面を用いて具体的に説明する。図１は手紙プラットフォーム１００の構成例を示す説明図である。手紙プラットフォーム１００は出力サーバ（出力装置）１、プリンタ２及びユーザ端末３を含む。出力サーバ１とプリンタ２とはネットワークＮ１により接続されている。出力サーバ１とユーザ端末３とはインターネットなどのネットワークＮ２により互いに接続されている。出力サーバ１とユーザ端末３とは、ネットワークＮ２及びネットワークＮ３（例えば、公衆電話網）により互いに接続されていても良い。本実施の形態では、送付物の例として、絵葉書を用いる。
【００２７】
出力サーバ１は、サーバコンピュータ、ブレードコンピュータなどにより構成する。プリンタ２はレーザプリンタ又はインクジェットプリンタなどである。ユーザ端末３はデスクトップＰＣ（Ｐｅｒｓｏｎａｌ  Ｃｏｍｐｕｔｅｒ）、ノートＰＣ、タブレット、ＰＤＡ（Ｐｅｒｓｏｎａｌ  Ｄａｔａ  Ａｓｓｉｓｔａｎｔ）、スマートフォン又は通信機能付き携帯ゲーム機などである。
【００２８】
出力サーバ１はユーザ端末３より、通信文と当該通信文の宛先情報を出力する。プリンタ２は出力サーバ１が出力した情報を基に、通信文、宛先の住所及び氏名を葉書に印刷する。印刷された葉書は切手が貼られ、郵送される。ユーザ端末３はユーザが入力した通信文及びユーザが選択した通信文の宛先についての情報を出力サーバ１へ送信する。なお、プリンタ２に替えて、輪転機などの印刷機を採用しても良い。また、プリンタ２とは手紙プラットフォーム１００の運営者と異なる業者が運用してもよい。さらにまた、出力サーバ１の機能をクラウドで提供してもよい。
【００２９】
図２は出力サーバ１のハードウェア構成例を示すブロック図である。出力サーバ１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、大容量記憶部１４、通信部１５及び読み取り部１６を含む。各構成はバスＢで接続されている。
【００３０】
ＣＰＵ１１はＲＯＭ１２に記憶された制御プログラム１Ｐに従いハードウェア各部を制御する。ＲＡＭ１３は例えばＳＲＡＭ（Ｓｔａｔｉｃ  ＲＡＭ）、ＤＲＡＭ（Ｄｙｎａｍｉｃ  ＲＡＭ）又はフラッシュメモリである。ＲＡＭ１３はＣＰＵ１１によるプログラムの実行時に発生するデータを一時的に記憶する。
【００３１】
大容量記憶部１４は、例えばハードディスク又はＳＳＤ（Ｓｏｌｉｄ  Ｓｔａｔｅ  Ｄｒｉｖｅ）などである。大容量記憶部１４は、後述するユーザＤＢ（ＤａｔａＢａｓｅ）１４１、友だちＤＢ１４２及びカードＤＢ１４３を記憶する。また、制御プログラム１Ｐを大容量記憶部１４に記憶しても良い。
【００３２】
通信部１５はネットワークＮ１を介してプリンタ２と通信を行う。また、通信部１５はネットワークＮ２又はネットワークＮ２及びＮ３を介してユーザ端末３と通信を行う。
【００３３】
読み取り部１６はＣＤ（Ｃｏｍｐａｃｔ  Ｄｉｓｃ）−ＲＯＭ又はＤＶＤ（Ｄｉｇｉｔａｌ  Ｖｅｒｓａｔｉｌｅ  Ｄｉｓｃ）−ＲＯＭを含む可搬型記憶媒体１ａを読み取る。ＣＰＵ１１が読み取り部１６を介して、制御プログラム１Ｐを可搬型記憶媒体１ａより読み取り、大容量記憶部１４に記憶しても良い。また、ネットワークＮ１等を介して他のコンピュータからＣＰＵ１１が制御プログラム１Ｐをダウンロードし、大容量記憶部１４に記憶しても良い。さらにまた、半導体メモリ１ｂから、ＣＰＵ１１が制御プログラム１Ｐを読み込んでも良い。
【００３４】
次に大容量記憶部１４が記憶するデータベースについて説明する。図３はユーザＤＢ１４１のレコードレイアウトの一例を示す説明図である。ユーザＤＢ１４１はユーザについての情報を記憶するデータベースである。ユーザＤＢ１４１はＩＤ列、氏名列、電子メール列、パスワード列、郵便番号列、住所列及びポイント列を含む。ＩＤ列はユーザを一意に特定可能なＩＤ（識別情報）を記憶する。氏名列はユーザの氏名を記憶する。電子メール列はユーザの電子メールアドレスを記憶する。パスワード列はユーザ認証用のパスワードを記憶する。郵便番号列はユーザの郵便番号を記憶する。住所列はユーザの住所を記憶する。ポイント列はユーザが保有しているポイントを記憶する。
【００３５】
図４は友だちＤＢ１４２のレコードレイアウトの一例を示す説明図である。友だちＤＢ１４２はユーザ間の友だち関係を記憶するデータベースである。友だちＤＢ１４２はＩＤ列、友だちＩＤ列及び状態列を含む。ＩＤ列はユーザのＩＤを記憶する。友だちＩＤ列は友だちのＩＤ又は友だち申請中のユーザの状態を記憶する。例えば、状態列は申請中、承認済みを記憶する。申請中は他のユーザへ友だちとなることを申請した状態を示す。承認済みは友だちが申請を承認したことを示す。
【００３６】
図５はカードＤＢ１４３のレコードレイアウト一例を示す説明図である。カードＤＢ１４３は絵葉書についての情報を記憶するデータベースである。カードＤＢ１４３はＩＤ列、製品番号列、画像列、サムネイル列、名称列、必要ポイント列及びカテゴリ列を含む。ＩＤ列は絵葉書を一意に特定するＩＤ（ひな形識別情報）を記憶する。製品番号列は絵葉書の製品番号を記憶する。製品番号は例えばＪＡＮ（Ｊａｐａｎｅｓｅ  Ａｒｔｉｃｌｅ  Ｎｕｍｂｅｒ）コードである。画像列は絵葉書の絵柄面を画像として記憶する。サムネイル列は絵柄面の画像のサムネイルを記憶する。名称列は絵葉書の名称を記憶する。必要ポイント列は絵葉書を送付するために必要なポイント数を記憶する。ユーザは必要ポイント数以上のポイントを保有していないと、絵葉書を送ることができない。カテゴリ列は絵葉書の分類（季節又は使用場面など）を記憶する。例えば、カテゴリ列は季節、エブリデイ、感謝又は記念日を記憶する。季節は絵柄が季節に即したものであることを示す。エブリデイは絵柄が一年通じて使えるものであることを示す。感謝は絵柄が感謝の気持ちを伝えるのに適したものであることを示す。記念日は絵柄が誕生日や結婚記念日などの記念日に送るのに適したものであることを示す。なお、絵柄面は全面画像ではなく、画像が印刷される領域と通信文が印刷される領域とを含んでもよい。その場合、カードＤＢ１４３絵柄面の書式を定めるひな形が記憶される。ひな形には例えば、画像を印刷する領域の位置及び大きさ並びに通信文を印刷する領域の位置及び大きさを含む。また、カードＤＢ１４３は宛名面のデザインを記憶していてもよい。宛名面のデザインは例えば、通信文や送付先住所及び氏名をどのように配置するかなどを定めたひな形である。ひな形はそれぞれの絵柄面毎に記憶していてもよいし、全ての絵柄面に共通でもよい。
【００３７】
次に、ユーザ端末３に表示される画面例を用いて、手紙プラットフォーム１００の絵葉書作成手順等を説明する。図６はホーム画面４１の一例を示す説明図である。ホーム画面４１はユーザ（送付者）が手紙プラットフォーム１００にログインした直後に表示される画面である。ホーム画面４１は通知領域４１ａ、メニュー領域４１ｂ、メイン領域４１ｃを含む。
【００３８】
通知領域４１ａは保有ポイント表示４１１、友だち申請表示４１２及びお知らせ表示４１３を含む。保有ポイント表示４１１は、ユーザが保有しているポイントの値を示す。ポイントは金銭的価値を有するものである。手紙プラットフォーム１００では、ユーザが葉書などの送付物を送る際には、その対価としてポイントを支払う。ユーザは送付物の送付に先立ち、ポイントを購入しておく必要がある。友だち申請表示４１２は友だち申請の有無を示す。他ユーザから友だち申請が受信している場合、申請件数が友だち申請表示４１２に表示される。友だち申請表示４１２をマウス等でクリックすると、友だち申請の承認画面（図示しない）に遷移する。お知らせ表示４１３は、手紙プラットフォーム１００からのお知らせの件数を示す。ユーザ宛のお知らせがある場合、お知らせの件数がお知らせ表示４１３に表示される。お知らせ表示４１３をマウス等でクリックすると、お知らせ一覧表示画面（図示しない）に遷移する。
【００３９】
メニュー領域４１ｂはホームメニュー４１４、作成メニュー４１５、友だちメニュー４１６及び設定メニュー４１７を含む。ホームメニュー４１４はホーム画面４１に戻るためのメニューである。作成メニュー４１５は絵葉書の作成を開始するためのメニューである。本実施の形態において、作成メニュー４１５を選択すると、形式選択画面に遷移する。友だちメニュー４１６は友だちリスト画面に遷移するためのメニューである。設定メニュー４１７は設定画面に遷移するためのメニューである。
【００４０】
メイン領域４１ｃはバナー４１８を含む。バナー４１８にはユーザ全般に告知する内容が表示される。
【００４１】
図７は形式選択画面４２の一例を示す説明図である。形式選択画面４２は通知領域４２ａ、メニュー領域４２ｂ及びメイン領域４２ｃを含む。通知領域４２ａ及びメニュー領域４２ｂはホーム画面４１と同様であるので、説明を省略する。メイン領域４２ｃは形式選択肢４２５を含む。図７に示す例では形式選択肢４２５として、ポストカードタイプを表示している。図７において、ポストカードタイプを選択すると、デザイン選択画面に遷移する。なお、図７ではポストカードタイプのみが表示されているが、他の形式が表示されていても良い。他の形式は、例えばユーザがアップロードした写真を絵葉書にする形式（後述）である。
【００４２】
図８はデザイン選択画面４３の一例を示す説明図である。デザイン選択画面４３は通知領域４３ａ、タイトル領域４３ｂ、分類領域４３ｃ及びメイン領域４３ｄを含む。通知領域４３ａは保有ポイント表示４３１、友だち申請表示４３２、お知らせ表示４３３及びホーム表示４３４を含む。保有ポイント表示４３１、友だち申請表示４３２及びお知らせ表示４３３は、ホーム画面４１と同様であるので、説明を省略する。ホーム表示４３４はホーム画面４１に遷移するための表示である。マウスクリック等でホーム表示４３４を選択すると、ホーム画面４１に遷移する。
【００４３】
タイトル領域４３ｂはポストカードアイコン４３５を含む。分類領域４３ｃは分類表示４３６を含む。図８に示す例では、分類表示４３６として、季節、記念日、誕生日、エブリデイ、感謝、その他が表示されている。誕生日が矩形で囲まれているのは、誕生日の分類表示４３６が選択されていることを示している。
【００４４】
メイン領域４３ｄは画像表示４３７及び必要ポイント表示４３８を含む。画像表示４３７は絵葉書の絵柄面の画像を表示する。必要ポイント表示４３８は画像表示４３７に対応して表示する。必要ポイント表示４３８は対応する画像表示４３７についての絵葉書を送付する場合に必要となるポイント数を表示する。図８に示す例では、分類領域４３ｃにおいて、誕生日の分類表示４３６が選択されているので、メイン領域４３ｄの画像表示４３７には誕生日カード向けの絵葉書の画像を表示している。送付したい画像を表示する画像表示４３７をユーザがマウスクリック等で選択すると、カード作成画面に遷移する。
【００４５】
図９はカード作成画面４４の一例を示す説明図である。カード作成画面４４は通知領域４４ａ、タイトル領域４４ｂ、宛先領域４４ｃ、デザイン表示領域４４ｄ及びメイン領域４４ｅを含む。通知領域４４ａは保有ポイント表示４４１、友だち申請表示４４２、お知らせ表示４４３及びホーム表示４４４を含む。保有ポイント表示４４１、友だち申請表示４４２、お知らせ表示４４３及びホーム表示４４４は、デザイン選択画面４３と同様であるので、説明を省略する。タイトル領域４４ｂは画面のタイトルを表示する。図９に示す例では、新規カード作成と表示している。
【００４６】
宛先領域４４ｃは絵葉書の送付先を設定する領域である。宛先領域４４ｃは宛先表示４４５及び宛先選択画面呼び出し領域４４６を含む。宛先表示４４５は絵葉書の宛先となるユーザの氏名及びユーザの写真を表示する。ユーザが写真を設定していない場合は、未設定示すアイコンが写真の代わりに表示される。宛先選択画面呼び出し領域４４６は宛先選択画面を呼び出すための領域である。マウスクリック等で宛先選択画面呼び出し領域４４６を選択すると、宛先選択画面に遷移する。なお、宛先領域４４ｃには宛先となるユーザの住所は表示されないようになっている。また、宛先領域４４ｃには宛先となるユーザの氏名ではなく、ニックネーム、ペンネーム又はハンドルネームを表示してもよい。
【００４７】
デザイン表示領域４４ｄは選択デザイン領域４４７及びデザイン選択画面呼び出し領域４４８を含む。選択デザイン領域４４７は選択している絵葉書の絵柄画像のサムネイルを表示する。デザイン選択画面呼び出し領域４４８はデザイン選択画面４３を呼び出すための領域である。マウスクリック等でデザイン選択画面呼び出し領域４４８を選択すると、デザイン選択画面４３に遷移する。
【００４８】
メイン領域４４ｅは入力領域４４９及び確認ボタン４４０を含む。入力領域４４９は通信文を入力するための領域である。確認ボタン４４０は確認画面へ遷移するためのボタンである。宛先の設定、デザインの選択及び通信文の入力後に確認ボタン４４０をマウスクリック等で選択することにより、確認画面へ遷移する。
【００４９】
図１０は宛先選択画面４５の一例を示す説明図である。宛先選択画面４５は通知領域４５ａ、状態表示領域４５ｂ、タイトル領域４５ｃ及び宛先選択領域４５ｄを含む。通知領域４５ａは保有ポイント表示４５１、友だち申請表示４５２、お知らせ表示４５３及びホーム表示４５７を含む。保有ポイント表示４５１、友だち申請表示４５２、お知らせ表示４５３及びホーム表示４５７は、デザイン選択画面４３と同様であるので、説明を省略する。
【００５０】
状態表示領域４５ｂは、宛先選択画面４５が新規カード作成状態において呼びされたことを示す。タイトル領域４５ｃは画面が宛先を選択する画面であることを示す。宛先選択領域４５ｄは宛先を選択するための領域である。宛先選択領域４５ｄは宛先の候補として友だちとなっているユーザ（送付先候補）を一覧表示する。一覧表示は、ユーザの写真４５４、ユーザの氏名４５５及び選択ボタン４５６を含む。宛先とするユーザに対応した選択ボタン４５６をマウスクリック等で選択することにより、宛先として選択する事が可能である。なお、宛先選択領域４５ｄでは友だちとなっているユーザの住所は表示されない。また、ユーザの氏名４５５ではなく、ニックネーム、ペンネーム又はハンドルネームを表示してもよい。
【００５１】
図１１は確認画面４６の一例を示す説明図である。確認画面４６は通知領域４６ａ及びメイン領域４６ｂを含む。通知領域４６ａは保有ポイント表示４６１、友だち申請表示４６２、お知らせ表示４６３及び作成画面呼び出し領域４６４を含む。保有ポイント表示４６１、友だち申請表示４６２及びお知らせ表示４６３は、デザイン選択画面４３と同様であるので、説明を省略する。作成画面呼び出し領域４６４はカード作成画面４４に戻るための領域である。マウスクリック等で作成画面呼び出し領域４６４を選択すると、カード作成画面４４に遷移する。
【００５２】
メイン領域４６ｂは作成画面呼び出し領域４６５、カード宛名面表示４６６、カード絵柄面表示４６７、確認メッセージ表示４６８、発送ボタン４６９を含む。作成画面呼び出し領域４６５は作成画面呼び出し領域４６４と同一の機能を備える。マウスクリック等で作成画面呼び出し領域４６５を選択すると、カード作成画面４４に遷移する。
【００５３】
カード宛名面表示４６６は絵葉書の宛名面の印刷イメージを表示する。カード宛名面表示４６６は通信文４６６１、差出人ユーザ写真４６６２、差出人名４６６３、宛先名４６６４及び注意書き４６６５を含む。通信文４６６１は差出人ユーザが入力した通信文である。差出人ユーザ写真４６６２及び差出人名４６６３は、差出人であるユーザの写真及び氏名である。宛先名４６６４は宛先となるユーザの氏名である。注意書き４６６５は、送付される実際の絵葉書には適切な宛名及び住所が記載されることを示す。注意書き４６６５は、差出人であるユーザが宛先であるユーザの住所を知らなくても、絵葉書を送付可能であることを、ユーザが改めて確認できるように示している。宛先名４６６４がユーザの氏名でない場合、絵葉書に印刷される宛名は、宛先名４６６４に替えて、ユーザの氏名が印刷される。
【００５４】
カード絵柄面表示４６７は絵葉書の絵柄面の画像を表示する。確認メッセージ表示４６８は差出人ユーザの保有ポイント及び絵葉書送付に伴い使用されるポイントを含む。発送ボタン４６９は絵葉書の発送を指示するためのボタンである。ユーザはカード宛名面表示４６６、カード絵柄面表示４６７及び確認メッセージ表示４６８の内容を確認の上、発送ボタン４６９をマウスクリック等で選択する。
【００５５】
次に、出力サーバ１が行う処理について説明する。図１２はメイン処理の手順を示すフローチャートである。出力サーバ１のＣＰＵ１１はログイン処理を行なう（ステップＳ１）。ユーザ端末３から新規にアクセスがあると、ＣＰＵ１１はログイン画面をユーザ端末３に表示させる。ＣＰＵ１１はユーザが入力したＩＤとパスワードとを取得する。ＣＰＵ１１は取得したＩＤ及びパスワードの組み合わせと、ユーザＤＢ１４１に記憶してあるＩＤ及びパスワードとの組み合わせとを対応することにより、ユーザの認証を行なう。ＣＰＵ１１はユーザの認証に失敗したら、処理を中止する。ＣＰＵ１１はユーザの認証に成功したら、ステップＳ２を行なう。
【００５６】
ＣＰＵ１１はユーザ端末３にホーム画面４１を表示させる（ステップＳ２）。ＣＰＵ１１はユーザがホーム画面４１で作成メニュー４１５が選択されたか否かを判定する（ステップＳ３）。ＣＰＵ１１は作成メニュー４１５が選択されたと判定した場合（ステップＳ３でＹＥＳ）、作成処理を行なう（ステップＳ４）。ＣＰＵ１１は作成処理後、処理をステップＳ２に戻す。ＣＰＵ１１は作成メニュー４１５が選択されていないと判定した場合（ステップＳ３でＮＯ）、友だちメニュー４１６が選択されたか否かを判定する（ステップＳ５）。ＣＰＵ１１は友だちメニュー４１６が選択されたと判定した場合（ステップＳ５でＹＥＳ）、友だち処理を行なう（ステップＳ６）。ＣＰＵ１１は友だち処理の後、カード作成に遷移するか否かを判定する（ステップＳ７）。ＣＰＵ１１はカード作成に遷移すると判定した場合（ステップＳ７でＹＥＳ）、処理をステップＳ４に移す。ＣＰＵ１１はカード作成に遷移しないと判定した場合（ステップＳ７でＮＯ）、処理をステップＳ２に戻す。ＣＰＵ１１は友だちメニュー４１６が選択されていないと判定した場合（ステップＳ５でＮＯ）、ログアウトが選択されたか否かを判定する（ステップＳ８）。ＣＰＵ１１はログアウトが選択されたと判定した場合（ステップＳ８でＹＥＳ）、処理を終了する。ＣＰＵ１１はログアウトが選択されてないと判定した場合（ステップＳ８でＮＯ）、処理をステップＳ２に戻す。
【００５７】
図１３は作成処理の手順を示すフローチャートである。ＣＰＵ１１はタイプ選択情報を取得する（ステップＳ１１）。ＣＰＵ１１は形式選択画面４２をユーザ端末３に表示させる。ＣＰＵ１１はユーザの選択したタイプをユーザ端末３から取得する。ＣＰＵ１１は取得したタイプがポストカード（タイプ）であるか否かを判定する（ステップＳ１２）。ＣＰＵ１１は取得したタイプがポストカードであると判定した場合（ステップＳ１２でＹＥＳ）、ポストカードの絵柄面の画像をタイル表示させる（ステップＳ１３）。ＣＰＵ１１はユーザ端末３の画面をデザイン選択画面４３に遷移させる。ＣＰＵ１１はポストカードの絵柄面の画像をカードＤＢ１４３から取得し、取得した画像をデザイン選択画面４３に表示させる。ＣＰＵ１１はカード選択情報を取得する（ステップＳ１４）。ＣＰＵ１１はユーザ端末３にカード作成画面４４を表示させる（ステップＳ１５）。ＣＰＵ１１は宛先選択されたか否かを判定する（ステップＳ１６）。すなわち、カード作成画面４４において宛先選択画面呼び出し領域４４６が選択されたか否かを、ＣＰＵ１１は判定する。ＣＰＵ１１は宛先選択されたと判定した場合（ステップＳ１６でＹＥＳ）、宛先候補を一覧表示させる（ステップＳ１７）。ＣＰＵ１１は友だちＤＢ１４２を参照し、ユーザの友だちのＩＤを取得する。ＣＰＵ１１は取得したＩＤに対応したユーザの情報をユーザＤＢ１４１から取得する。ＣＰＵ１１はユーザ端末３の画面を宛先選択画面４５に遷移させる。ＣＰＵ１１は取得したユーザ情報に基づいて、宛先選択領域４５ｄに宛先候補の一覧を表示させる。ＣＰＵ１１は宛先を取得する（ステップＳ１８）。取得する宛先は宛先として選択されたユーザのＩＤである。ＣＰＵ１１は処理をステップＳ１６に戻す。ＣＰＵ１１は処理をステップＳ１６に戻す際に、ステップＳ１８で取得した宛先に基づき、カード作成画面４４の宛先表示４４５の内容を更新する。
【００５８】
ＣＰＵ１１は宛先選択されてないと判定した場合（ステップＳ１６でＮＯ）、通信文が入力されたか否かを判定する（ステップＳ１９）。ＣＰＵ１１は通信文が入力されたと判定した場合（ステップＳ１９でＹＥＳ）、入力された通信文の内容を入力領域４４９に表示させる（ステップＳ２０）。ＣＰＵ１１は処理をステップＳ１６に戻す。ＣＰＵ１１は通信文が入力されていないと判定した場合（ステップＳ１９でＮＯ）、カード選択が指示されたか否かを判定する（ステップＳ２１）。ＣＰＵ１１はカード作成画面４４において、デザイン選択画面呼び出し領域４４８が選択された否かを判定する。ＣＰＵ１１はカード選択が指示されたと判定した場合（ステップＳ２１でＹＥＳ）、処理をステップＳ１３に戻す。ＣＰＵ１１はカード選択が指示されていないと判定した場合（ステップＳ２１でＮＯ）、確認ボタン４４０が選択されたか否かを判定する（ステップＳ２２）。ＣＰＵ１１は確認ボタン４４０が選択されたと判定した場合（ステップＳ２２でＹＥＳ）、ユーザ端末３に確認画面４６を表示させる（ステップＳ２３）。
【００５９】
ＣＰＵ１１は確認画面４６において、発送が指示されたか否かを判定する（ステップＳ２４）。ＣＰＵ１１は発送が指示されていないと判定した場合（ステップＳ２４でＮＯ）、処理をステップＳ１５に戻す。ＣＰＵ１１は発送が指示されたと判定した場合（ステップＳ２４でＹＥＳ）、選択されたデザイン及び選択された宛先についての情報を出力する（ステップＳ２５）。ＣＰＵ１１は宛先として選択されたユーザのＩＤに基づいて、ユーザＤＢ１４１から、当該ＩＤに対応付けられた氏名、郵便番号及び住所を取得する。ＣＰＵ１１は取得した氏名、郵便番号及び住所を出力する。それにより、選択されたデザインが絵柄面に印刷され、選択された宛先に基づく住所、宛名が印刷された絵葉書がプリンタ２により作成される。ＣＰＵ１１は差出人ユーザのポイントを減算する（ステップＳ２６）。ＣＰＵ１１は作成処理を終了し、処理を呼び出し元に戻す。ＣＰＵ１１は確認ボタン４４０が選択されていないと判定した場合（ステップＳ２２でＮＯ）、作成処理を終了し処理を呼び出し元に戻す。ＣＰＵ１１は取得したタイプがポストカードでないと判定した場合（ステップＳ１２でＮＯ）、作成処理を終了し処理を呼び出し元に戻す。なお、絵柄面はその都度印刷するのではなく、予め絵柄面を印刷したものを用意しておいてもよい。
【００６０】
なお、作成処理の一部をユーザ端末３のみで行っても良い。例えば、ステップＳ１９、ステップＳ２０である。その場合、ステップＳ１９、Ｓ２０は図１３からは消えることになる。そして、ステップＳ１６でＮＯの場合、ステップＳ２１が実行される。
【００６１】
図１４は友だち画面４７の一例を示す説明図である。友だち画面４７は通知領域４７ａ、メニュー領域４７ｂ及びメイン領域４７ｃを含む。通知領域４７ａは保有ポイント表示４７１、友だち申請表示４７２及びお知らせ表示４７３を含む。メニュー領域４７ｂはホームメニュー４７４、作成メニュー４７５、友だちメニュー４７６及び設定メニュー４７７を含む。通知領域４７ａ及びメニュー領域４７ｂは、ホーム画面４１と同様であるので、説明を省略する。
【００６２】
メイン領域４７ｃは、友だち表示領域４７９及び友だち候補表示領域４７０を含む。友だち招待領域４７８は、手紙プラットフォーム１００のユーザとなっていない友だちを招待するための招待機能を呼び出すための領域である。友だち招待領域４７８は友だち招待アイコン４７８１及び友だち招待文４７８２を含む。友だち招待アイコン４７８１及び友だち招待文４７８２をマウスクリック等で選択すると、手紙プラットフォーム１００における友だち招待ページへのハイパーリンクを表示する。ユーザは表示されたハイパーリンクをメール等で招待したい友人に知らせる。それにより、ユーザは友人を手紙プラットフォーム１００に招待することができる。
【００６３】
友だち表示領域４７９は友だちについての情報を表示する。友だち表示領域４７９は写真４７９１、氏名４７９２、誕生日４７９３及び作成ボタン４７９４を含む。写真４７９１、氏名４７９２、誕生日４７９３及び作成ボタン４７９４は、各友だちについて表示する。写真４７９１は友だちが登録している写真である。氏名４７９２は友だちの氏名である。誕生日４７９３は友だちの誕生日である。作成ボタン４７９４はカード作成を行なうためのものである。マウスクリック等で作成ボタン４７９４を選択すると、対応した友だちを宛先に設定し、カード作成画面４４に遷移する。
【００６４】
友だち候補表示領域４７０は友だちの可能性があるユーザ（友だち候補）を表示する。友だち候補表示領域４７０は写真４７０１、氏名４７０２、共通人数４７０３、除外ボタン４７０４及び申請ボタン４７０５を含む。写真４７０１、氏名４７０２、共通人数４７０３、除外ボタン４７０４及び申請ボタン４７０５は、各友だち候補について表示する。写真４７０１は友だち候補が登録している写真である。氏名４７０２は友だち候補の氏名である。共通人数４７０３はユーザと友だち候補とで共通する友だちの人数である。除外ボタン４７０４は対応するユーザを友だち候補から除外するためのボタンである。除外ボタン４７０４をマウスクリック等で選択すると、以後、対応するユーザが友だち候補として表示されなくなる。申請ボタン４７０５は対応するユーザに友だち申請を送信するためのボタンである。なお、友だち候補となるユーザの抽出は公知の技術が利用可能である。
【００６５】
図１５は友だち処理の手順を示すフローチャートである。ＣＰＵ１１はユーザ端末３に友だち画面４７を表示させる（ステップＳ３１）。ＣＰＵ１１は友だちＤＢ１４２からユーザのＩＤと対応付けられ、状態が承認済みの友だちのＩＤ（友だちＩＤ）を読み出す。読み出した友だちＩＤに対応付けられたレコードをユーザＤＢ１４１から読み出す。ＣＰＵ１１は読み出したレコードに基づき、友だち画面４７を生成する。ＣＰＵ１１は作成ボタン４７９４が選択されたか否かを判定する（ステップＳ３２）。ＣＰＵ１１は作成ボタン４７９４が選択されたと判定した場合（ステップＳ３２でＹＥＳ）、選択された作成ボタン４７９４に対応したユーザを宛先に設定する（ステップＳ３３）。ＣＰＵ１１は友だち処理を終了し処理を呼び出し元に戻す。
【００６６】
ＣＰＵ１１は作成ボタン４７９４が選択されていないと判定した場合（ステップＳ３２でＮＯ）、招待機能が呼び出されたか否かを判定する（ステップＳ３４）。ＣＰＵ１１は友だち招待アイコン４７８１又は友だち招待文４７８２が選択されたか否かを判定する。友だち招待アイコン４７８１又は友だち招待文４７８２が選択された場合、ＣＰＵ１１は招待機能が呼び出されたと判定する。ＣＰＵ１１は招待機能が呼び出されたと判定した場合は（ステップＳ３４でＹＥＳ）、友だち招待ページへのハイパーリンクをユーザ端末３に表示させる（ステップＳ３５）。ユーザは表示されたハイパーリンクをコピーし、メールで友だちに送信する。友だちは受信したメールに記載のハイパーリンクを用いて、招待ページにアクセスし、ユーザ登録を行なう。ＣＰＵ１１は戻ることを指示されたか否かを判定する（ステップＳ３８）。ＣＰＵ１１は戻ることを指示されたと判定した場合（ステップＳ３８でＹＥＳ）、友だち処理を終了し呼び出し元に処理を戻す。ＣＰＵ１１は戻ることを指示されていないと判定した場合（ステップＳ３８でＮＯ）、ステップＳ３２に戻す。
【００６７】
ＣＰＵ１１は招待機能が呼び出されていないと判定した場合（ステップＳ３４でＮＯ）、申請ボタン４７０５が選択されたか否かを判定する（ステップＳ３６）。ＣＰＵ１１は申請ボタン４７０５が選択されたと判定した場合（ステップＳ３６でＹＥＳ）、申請ボタン４７０５に対応するユーザに対して友だち申請を行なう（ステップＳ３７）。友だち申請の処理は、公知の技術で実現可能であるので、説明を省略する。ＣＰＵ１１は処理をステップＳ３８へ移す。ＣＰＵ１１は申請ボタン４７０５が選択されていないと判定した場合（ステップＳ３６でＮＯ）、処理をステップＳ３８に移す。
【００６８】
本実施の形態では、次の効果を奏する。手紙プラットフォーム１００は、ユーザの氏名と住所とを対応付けてユーザＤＢ１４１に記憶している。手紙プラットフォーム１００は、ユーザの住所を他のユーザには公開しない。そのため、差出人は送付先の住所を知らなくても送付先の氏名を指定すれば、絵葉書を送付することが可能となる。手紙プラットフォーム１００は友だちの招待機能を備えている。既存のユーザは招待ページへのハイパーリンクを友だちに知らせることにより、友だちを手紙プラットフォーム１００に招待可能である。住所を知らない友だちを手紙プラットフォーム１００に招待し、友だちがユーザ登録すれば、以後、当該友だちに絵葉書を送付可能となる。
【００６９】
送付先として指定可能なのは承認済みの友だちとしているので、各ユーザはよく知らないユーザから絵葉書が届いてしまうことを防ぐことが可能となる。手紙プラットフォーム００が各ユーザの住所を記憶しているため、住所を知っている友だちがユーザであれば、引っ越しなどによる住所の変更を知らずとも、ユーザは友だちに絵葉書を送付可能である。
【００７０】
なお、カード作成画面４４の宛先表示４４５等において表示する氏名は、ユーザの氏名ではなくニックネーム等を表示しても良い。この場合、ユーザＤＢ１４１にはニックネーム及び氏名を記憶しておく。他のユーザにはニックネームを表示するが、送付する絵葉書の宛名は氏名とする。それにより、住所に加え、氏名を知らないユーザに対しても、絵葉書を送付可能となる。
【００７１】
（実施の形態２）
本実施の形態は葉書の絵柄面に写真を印刷する形態に関する。本実施の形態では図７に示した形式選択画面１７に選択肢が追加される。選択肢の一例は「自分の写真を送る」である。ユーザは当該選択肢を選択することにより、絵柄面に写真を印刷した絵葉書の作成が可能となる。
【００７２】
図１６は選択画面４８の一例を示す説明図である。ユーザが形式選択画面１７で「自分の写真を送る」を選択すると、選択画面４８が表示される。選択画面４８においてアップロードとする写真画像を選択すると、図１６に示した状態となる。選択画面４８は制御領域４８ａ、タイトル領域４８ｂ及びメイン領域４８ｃを含む。制御領域４ａは戻るボタン４８１を含む。戻るボタン４８１をマウスクリック等で選択すると、形式選択画面４２に戻る。タイトル領域４８ｂは画面タイトル４８２を含む。画面タイトル４８２は例えば、「サイズ調整」である。メイン領域４８ｃは画像指定ボタン４８３、画像表示領域４８４、サイズ調整バー４８５及びアップロードボタン４８６を含む。画像指定ボタン４８３はアップロードする画像を選択するためのボタンである。画像指定ボタン４８３をマウスクリック等で選択すると、写真画像ファイル（画像データ）を選択するための副画面がポップアップ表示される。ユーザは当該副画面で写真画像ファイルを指定する。画像表示領域４８４はユーザが選択した写真画像を表示する。サイズ調整バー４８５は写真画像のサイズを調整するのに用いる。つまみ４８５１を右に動かすと写真画像が拡大される。つまみ４８５１を左に動かすと写真画像が縮小される。例えば、写真画像の縦横比と葉書の縦横比が合わない場合、表示される画像の上下又は左右が切れた様になるので、サイズ調整バー４８５により調整する。アップロードボタン４８６は選択された写真画像を出力サーバ１へのアップロードを指示するボタンである。マウスクリック等でアップロードボタン４８６を選択すると、写真画像がアップロードされる。なお、アップロードする画像は写真画像に限らず、イラスト画像などでもよい。
【００７３】
図１７は作成処理の手順を示すフローチャートである。図１７において、図１３と同様な処理については、図１３と同じステップ番号を振っている。ＣＰＵ１１はタイプ選択情報を取得する（ステップＳ１１）。ＣＰＵ１１は取得したタイプがポストカード（タイプ）であるか否かを判定する（ステップＳ１２）。ＣＰＵ１１は取得したタイプがポストカードであると判定した場合（ステップＳ１２でＹＥＳ）、処理を図１３のステップＳ１３へ移す。ＣＰＵ１１は取得したタイプがポストカードでないと判定した場合（ステップＳ１２でＮＯ）、取得したタイプが写真（「自分の写真を送る」）であるか否かを判定する（ステップＳ４１）。ＣＰＵ１１は取得したタイプが写真でないと判定した場合（ステップＳ４１でＮＯ）、処理を呼び出し元に戻す。ＣＰＵ１１は取得したタイプが写真であると判定した場合（ステップＳ４１でＹＥＳ）、選択画面４８をユーザ端末３に表示させる（ステップＳ４２）。ユーザは選択画面４８を操作して、アップロードする画像を選択し、アップロードボタン４８６でアップロードを指示する。ＣＰＵ１１はアップロードされた画像を取得する（ステップＳ４３）。ＣＰＵ１１はカード作成画面４４を表示する（ステップＳ１５）。
【００７４】
本実施の形態におけるカード作成画面４４は図９とほぼ同様である。デザイン表示領域４４ｄが異なる。選択デザイン領域４４７にはアップロードした写真画像のサムネイルを表示する。デザイン選択画面呼び出し領域４４８を選択すると、選択画面４８へ遷移する。
【００７５】
ステップＳ１６からＳ２０の動作は図１３と同様であるので、説明を省略する。ＣＰＵ１１は通信文が入力されていないと判定した場合（ステップＳ１９でＮＯ）、画像の再取得が指示されたか否か（デザイン選択画面呼び出し領域４４８が選択されたか否か）を判定する（ステップＳ４４）。ＣＰＵ１１は画像の再取得が指示されたと判定した場合（ステップＳ４４でＹＥＳ）、処理をステップＳ４２に戻す。ＣＰＵ１１は画像の再取得が指示されていないと判定した場合（ステップＳ４４でＮＯ）、確認ボタン４４０が選択されたか否かを判定する（ステップＳ２２）。以降の処理は図１３と同様であるので、説明を省略する。
【００７６】
本実施の形態においては、絵葉書の絵柄面をユーザが指定した写真画像とすることが可能である。それにより、ユーザは住所を知らない他ユーザに写真を送付することが可能となる。
【００７７】
なお、ユーザ端末３がカメラを備えている場合、写真の選択方法は以下のようにしても良い。選択画面４８において画像指定ボタン４８３をユーザが選択すると、ユーザ端末３は画像参照アプリケーションを起動する。ユーザは画像参照アプリケーションに表示された画像一覧からアップロードする画像を選択する。また。画像参照アプリケーションから更にカメラアプリケーションを選択し、写真撮影を行なう。撮影した写真画像は画像参照アプリケーションで参照可能であるので、当該写真画像を選択する。それによって、その場で撮影した写真の画像をアップロードする画像として選択可能となる。また、絵葉書の絵柄面を写真画像のみにするのではなく、フレーム画像に写真画像を埋め込んだ画像としても良い。また、複数の写真を送付可能としても良い。その場合、送付物を封書にし、プリントした写真を送付すれば良い。その際、絵葉書を同封しても良い。同封する絵葉書の絵柄面は写真画像の１つとしても良い。
【００７８】
（実施の形態３）
本実施の形態は葉書に加えてギフト（物品）を送付する形態に関する。以下の説明においては、実施の形態１を拡張する場合について述べるが、実施の形態２を拡張することも可能である。本実施の形態において、カード作成画面４４（図９参照）にギフト表示領域を表示する。例えば、ギフト表示領域をデザイン表示領域４４ｄの下に表示する。
【００７９】
ギフト表示領域はデザイン表示領域４４ｄと同様に、選択ギフト領域及びギフト選択画面呼び出し領域を含む。選択ギフト領域にはユーザが選択したギフトの写真を表示する。ギフト選択画面呼び出し領域はギフト選択画面を呼び出すための領域である。マウスクリック等でギフト選択画面呼び出し領域を選択すると、ギフト選択画面に遷移する。
【００８０】
図１８はギフト選択画面４９の一例を示す説明図である。ギフト選択画面４９は通知領域４９ａ、タイトル領域４９ｂ、分類領域４９ｃ及びメイン領域４９ｄを含む。通知領域４９ａは保有ポイント表示４９１、友だち申請表示４９２、お知らせ表示４９３及びホーム表示４９４を含む。保有ポイント表示４９１、友だち申請表示４９２、お知らせ表示４９３及びホーム表示４９４は、デザイン選択画面４３と同様であるので、説明を省略する。
【００８１】
タイトル領域４９ｂはタイトル４９５を含む。タイトル４９５は例えば「ギフト」である。タイトル４９５に替えてギフトを示すアイコンとしても良い。
【００８２】
分類領域４９ｃは分類表示４９６を含む。図１８に示す例では、図８と同様に分類表示４９６として、季節、記念日、誕生日、エブリデイ、サンキュー、その他が表示されている。誕生日が矩形で囲まれているのは、誕生日の分類表示４９６が選択されていることを示している。
【００８３】
メイン領域４９ｄは画像表示４９７及び必要ポイント表示４９８を含む。画像表示４９７はギフトの画像を表示する。必要ポイント表示４９８は画像表示４９７に対応して表示する。必要ポイント表示４９８は対応する画像表示４９７についてのギフトを送付する場合に必要となるポイント数を表示する。図１８に示す例では、分類領域４９ｃにおいて、誕生日の分類表示４９６が選択されているので、メイン領域４９ｄの画像表示４９７には誕生日向けのギフトの画像を表示する。送付したい画像を表示する画像表示４９７にユーザがマウスオーバーすると、選択メッセージ４９９が表示される。図１８の例では、選択メッセージ４９９は「このギフトにする」である。ユーザは表示された選択メッセージ４９９をマウスクリックすることにより、ギフトを選択する。
【００８４】
図１９は作成処理の手順を示すフローチャートである。本実施の形態の作成処理は図１３に示した処理を拡張したものである。図１９では主として図１３では含まれていない処理を示している。また、図１９において、図１３と同様な処理は図１３と同じ符号を付している。ＣＰＵ１１は図１３のステップＳ１９でＮＯの場合、カード選択が指示されたか否かを判定する（ステップＳ２１）。ＣＰＵ１１はカード選択が指示されたと判定した場合（ステップＳ２１でＹＥＳ）、処理をステップＳ１３に戻す。ＣＰＵ１１はカード選択が指示されていないと判定した場合（ステップＳ２１でＮＯ）、ＣＰＵ１１はギフト選択が指定されたか否かを判定する（ステップＳ５１）。ＣＰＵ１１はギフト選択が指定されていないと判定した場合（ステップＳ５１でＮＯ）、ステップＳ２２を実行する。ステップＳ２２からＳ２４は、図１３と同様であるから説明を省略する。ＣＰＵ１１はギフト選択が指定されたと判定した場合（ステップＳ５１でＹＥＳ）、ギフトを一覧表示する（ステップＳ５２）。すなわち、ユーザ端末３にギフト選択画面４９を表示させる。ギフト選択画面４９に表示するギフトの情報は、例えば大容量記憶部１４に記憶する。記憶するギフトの情報は、カードＤＢ１４３と同様である。ＣＰＵ１１は選択ギフトの情報を取得する（ステップＳ５３）。ＣＰＵ１１は処理をステップＳ１５に移す。なお、ギフトの選択がされている場合、ステップＳ２３で表示される確認画面４６（図１１）において、選択されたギフトの内容を表示する。
【００８５】
本実施の形態において、ステップＳ２５において、ＣＰＵ１１は絵葉書を印刷するための情報に加えて、ギフトを送付するための情報（ギフト送付情報）を出力する。ギフト送付情報は、ギフトを特定するためのＪＡＮコード（物品識別情報）並びに送付先の氏名及び住所等を含む。ギフト送付情報は、例えば、ショッピングモールサイト宛に送信される。ショッピングモールサイトはギフト送付情報に基づき、ギフトを発送する。また、ステップＳ２６において、ＣＰＵ１１は絵葉書送付に必要なポイントに加えて、ギフト発送に必要なポイントの減算も行なう。
【００８６】
本実施の形態は以下の効果を奏する。ユーザは住所を知らない友だちに対して、絵葉書とともにギフトを送付することが可能となる。
【００８７】
（実施の形態４）
本実施の形態は招待メッセージをＳＮＳにより送信する形態に関する。本実施の形態においては、ユーザは複数のＳＮＳについてユーザ登録をしていることが前提である。
【００８８】
図２０は招待画面５０の一例を示す説明図である。招待画面５０は通知領域５０ａ及びメイン領域５０ｂを含む。通知領域５０ａは保有ポイント表示５０１、友だち申請表示５０２、お知らせ表示５０３及びホーム表示５０４を含む。保有ポイント表示５０１、友だち申請表示５０２、お知らせ表示５０３及びホーム表示５０４は、デザイン選択画面４３と同様であるので、説明を省略する。
【００８９】
メイン領域５０ｂは招待リンク表示５０５、コピー指示部５０６及びＳＮＳ送信部５０７を含む。招待リンク表示５０５は友だち招待ページのハイパーリンクを表示する。コピー指示部５０６はハイパーリンクのコピーを指示するものである。マウスクリック等でコピー指示部５０６を選択すると、招待リンク表示５０５に表示されているハイパーリンクがクリップボードにコピーされる。ＳＮＳ送信部５０７はハイパーリンクを、ＳＮＳを介して友だちに送信するためのものである。図２０ではＳＮＳ１とＳＮＳ２とが選択可能となっている。ＳＮＳ送信部５０７をマウスクリック等で選択すると、送信画面５０ｃが表示される。送信画面５０ｃは受信者指定部５０８、メッセージ入力領域５０９、添付領域５１０、閉じるボタン５１１及び送信ボタン５１２を含む。受信者指定部５０８はハイパーリンクの受信者（招待する友だち）を設定するためのものである。メッセージ入力領域５０９は受信者へのメッセージを入力するためのものである。添付領域５１０は招待ページのハイパーリンクを含む。閉じるボタンは招待メッセージを送信せずに送信画面５０ｃを閉じるためのボタンである。送信ボタン５１２は招待メッセージを、ＳＮＳを介して送信するためのボタンである。送信画面５０ｃは必須ではない。送信画面５０ｃを使用せずに次のような動作としても良い。ＳＮＳ送信部５０７が選択された場合に、ユーザ端末３にインストールされているＳＮＳ用ソフトウェアを起動する。ＳＮＳ用ソフトウェアでのメッセージ送信画面を開き、メッセージ中又はメッセージの添付として、招待メッセージへのハイパーリンクを埋め込む。送信画面５０ｃを用いるか、ＳＮＳ用ソフトウェアを用いるかについては、ＳＮＳのＡＰＩ（Ａｐｐｌｉｃａｔｉｏｎ  Ｐｒｏｇｒａｍｍｉｎｇ  Ｉｎｔｅｒｆａｃｅ）などの仕様により適宜決めればよい。
【００９０】
図２１は友だち処理の手順を示すフローチャートである。図２１において、図１５と同様な処理については、同じ符号を付している。図２１のステップＳ３１からＳ３４及びステップＳ３７からＳ３８は図１５と同様であるから、説明を省略する。
【００９１】
ＣＰＵ１１は友だち招待アイコン４７８１又は友だち招待文４７８２が選択されたか否かを判定する。友だち招待アイコン４７８１又は友だち招待文４７８２が選択された場合、ＣＰＵ１１は招待機能が呼び出されたと判定する。ＣＰＵ１１は招待機能が呼び出されたと判定した場合は（ステップＳ３４でＹＥＳ）、招待画面５０を表示する（ステップＳ６１）。ＣＰＵ１１はＳＮＳを選択されたか否かを判定する（ステップＳ６２）。図２０の例では、ＣＰＵ１１はＳＮＳ送信部５０７が選択されたか否かを判定する。ＣＰＵ１１はＳＮＳが選択されていないと判定した場合（ステップＳ６２でＮＯ）、戻ることを指示されたか否かを判定する（ステップＳ６３）。ＣＰＵ１１は戻ることを指示されたと判定した場合（ステップＳ６３でＹＥＳ）、友だち処理を終了し呼び出し元に処理を戻す。ＣＰＵ１１は戻ることを指示されていないと判定した場合（ステップＳ６３でＮＯ）、ステップＳ６２に戻す。
【００９２】
ＣＰＵ１１はＳＮＳが選択されたと判定した場合（ステップＳ６２でＹＥＳ）、送信画面５０ｃを表示する（ステップＳ６４）。ＣＰＵ１１は送信ボタン５１２が選択されたか否かを判定する（ステップＳ６５）。ＣＰＵ１１は送信ボタン５１２が選択されたと判定した場合（ステップＳ６５でＹＥＳ）、ＳＮＳを介して招待メッセージを送信し（ステップＳ６６）、処理をステップＳ６７に移す。ＣＰＵ１１は送信ボタン５１２が選択されていないと判定した場合（ステップＳ６５でＮＯ）、閉じるボタン５１１が選択されたか否かを判定する（ステップＳ６７）。ＣＰＵ１１は閉じるボタン５１１が選択されたと判定した場合（ステップＳ６７でＹＥＳ）、送信画面５０ｃを閉じ（ステップＳ６８）、処理をステップＳ６２に戻す。ＣＰＵ１１は閉じるボタン５１１が選択されていないと判定した場合（ステップＳ６７でＮＯ）、処理をステップＳ６５に戻す。
【００９３】
本実施の形態は以下の効果を奏する。手紙プラットフォーム１００への招待メッセージを、ＳＮＳを介して送信可能であるので、ＳＮＳ上での友だちであれば、メールアドレスを知らない友だちを招待することが可能となる。なお、本実施の形態は実施の形態１を拡張したものであるが、他の実施の形態を拡張することも可能である。
【００９４】
（実施の形態５）
本実施の形態は新規ユーザの登録を既存のユーザが補助する形態に関する。本実施の形態では、新規ユーザの住所を既存のユーザは知っているものとする。例えば、手紙プラットフォーム１００を使用することは可能であると予想されるが、ユーザ登録の操作は行えない、又はユーザ登録の操作が面倒で行わない人が、新規ユーザとしての想定である。既存のユーザが補助する内容は新規ユーザの住所、氏名を仮登録し、それを知らせる葉書を新規ユーザに送付する。
【００９５】
図２２はマイアドレス画面５２の一例を示す説明図である。宛先選択画面４５（図１０）から呼びされる画面である。本実施の形態では宛先選択画面４５にマイアドレスボタンが追加される。マイアドレスボタンには、例えば、送付先住所、氏名を入力などの注釈が付記されている。宛先選択画面４５でマイアドレスボタンをマウスクリック等で選択化すると、マイアドレス画面５２が表示される。
【００９６】
マイアドレス画面５２は通知領域５２ａ、タイトル領域５２ｂ及びメイン領域５２ｃを含む。通知領域５２ａは保有ポイント表示５２１、友だち申請表示５２２、お知らせ表示５２３及び戻るボタン５２４を含む。保有ポイント表示５２１、友だち申請表示５２２及びお知らせ表示５２３は、デザイン選択画面４３と同様であるので、説明を省略する。戻るボタン５２４は入力内容を破棄し、宛先選択画面４５に戻るためのボタンである。タイトル領域５２ｂはタイトル表示５２５を含む。タイトル表示５２５は例えば、マイアドレスである。
【００９７】
メイン領域５２ｃは宛先入力部５２６、確認ボタン５２７及び戻るボタン５２８を含む。宛先入力部５２６は新規ユーザの郵便番号、都道府県、市区町村、番地及び建物名並びに宛先名（お届け先）を入力するためのものである。確認ボタン５２７は入力内容を確認するための入力確認画面を表示するためのボタンである。戻るボタン５２８は入力内容を破棄し、宛先選択画面４５に戻るためのボタンである。
【００９８】
図２３はマイアドレスＤＢ１４４のレコードレイアウトの一例を示す説明図である。マイアドレスＤＢ１４４は例えば、大容量記憶部１４に記憶する。マイアドレスＤＢ１４４は登録前の招待されるユーザの仮登録データを記憶するデータベースである。マイアドレスＤＢ１４４はＩＤ列、氏名列、郵便番号列、住所列及び招待ユーザ列を含む。ＩＤ列はレコードを一意に特定するＩＤを記憶する。ＩＤは例えば、新たなレコードを記憶するときに発番される。氏名列は新規ユーザの氏名を記憶する。郵便番号列は新規ユーザの住所に対応した郵便番号を記憶する。住所列は新規ユーザの住所を記憶する。招待ユーザ列は新規ユーザを招待する既存ユーザのＩＤを記憶する。すなわち、招待ユーザ列は新規ユーザの登録を補助する既存ユーザのＩＤを記憶する。
【００９９】
図２４は作成処理の手順を示すフローチャートである。図２４に示すフローチャートは、図１３に示すフローチャートの一部を変更したものである。図２４において、図１３と同様な処理については、図１３と同じ符号を付している。図２４において、ステップＳ１５からＳ１７は図１３と同様であるから説明を省略する。ＣＰＵ１１はステップＳ１７を実行後、マイアドレスが選択されたか否かを判定する（ステップＳ７１）。ＣＰＵ１１はマイアドレスが選択されていないと判定した場合（ステップＳ７１でＮＯ）、宛先を取得する（ステップＳ１８）。ＣＰＵ１１は処理をステップＳ１５に戻す。ＣＰＵ１１はマイアドレスが選択されたと判定した場合（ステップＳ７１でＹＥＳ）、入力画面、すなわちマイアドレス画面５２をユーザ端末３に表示させる（ステップＳ７２）。ＣＰＵ１１は確認ボタン５２７が選択されたか否か判定する（ステップＳ７３）。ＣＰＵ１１は確認ボタン５２７が選択されたと判定した場合（ステップＳ７３でＹＥＳ）、入力確認画面（図示しない）をユーザ端末３に表示させる（ステップＳ７４）。入力確認画面にマイアドレス画面５２での入力内容が表示させるとともに、設定ボタンと戻るボタンが表示される。ＣＰＵ１１は設定ボタンが選択されたか否かを判定する（ステップＳ７５）。ＣＰＵ１１は設定ボタンが選択されたと判定した場合（ステップＳ７５でＹＥＳ）、マイアドレス画面５２で入力された内容をマイアドレスＤＢ１４４に記憶する（ステップＳ７６）。ＱＲコード（登録商標）（二次元バーコード）を生成する（ステップＳ７７）。生成するＱＲコードは、新規ユーザの本登録を行なう画面へのＵＲＬ（Ｕｎｉｆｏｒｍ  Ｒｅｓｏｕｒｃｅ  Ｌｏｃａｔｏｒ）並びに、マイアドレスＤＢ１４４に記憶した内容、例えば、ＩＤ列、氏名列及び招待ＩＤ列の内容に基づいて生成する。生成したＱＲコードはＲＡＭ１３などに設けた一時記憶領域に記憶する。ＣＰＵ１１は処理をステップＳ１５に戻す。ＣＰＵ１１は確認ボタン５２７が選択されていないと判定した場合（ステップＳ７３でＮＯ）、処理をステップＳ１５に戻す。ＣＰＵ１１は設定ボタンが選択されていないと判定した場合（ステップＳ７５でＮＯ）、処理をステップＳ７２に戻す。
【０１００】
本実施の形態においては、ＣＰＵ１１が選択されたデザイン及び選択された宛先についての情報を出力する際（ステップＳ２５）、一時記憶領域に記憶したＱＲコードも出力される。そして、ＱＲコードは葉書の宛名面に印刷される。宛名面に限らず、絵柄面にＱＲコードを表示してもよい。葉書は新規ユーザに送付される。葉書を受け取ったユーザはスマートフォン等のユーザ端末３により、ＱＲコードを読み取る。ユーザ端末３はＱＲコードから得られるＵＲＬに基づいて、出力サーバ１が備える本登録を行なうための画面にアクセスする。当該アクセスにより、新規ユーザは本登録される。
【０１０１】
図２５は本登録処理の手順を示すフローチャートである。ＣＰＵ１１はユーザ端末３から送信されたマイアドレスＤＢ１４４のＩＤ及び招待ユーザのＩＤを取得する（ステップＳ８１）。例えば、ＩＤ及び招待ユーザのＩＤはＱＲコードから得られるＵＲＬの引数などに埋め込まれている。よって、ユーザ端末３が出力サーバ１にアクセスした時点で、ＣＰＵ１１はＩＤ及び招待ユーザのＩＤを取得可能である。ＣＰＵ１１はＩＤ及び招待ユーザのＩＤから特定されるマイアドレスＤＢ１４４のレコードを読み出す。ＣＰＵ１１は読み出したレコードに基づきユーザデータを生成し、ユーザＤＢ１４１に記憶する（ステップＳ８２）。ＣＰＵ１１はステップＳ８２で記憶した新規ユーザのＩＤと、ステップＳ８１で取得した招待ユーザのＩＤとに基づき、両者が互いに友だちである旨の設定を行なう（ステップＳ８３）。すなわち、ＣＰＵ１１は両ユーザが互いに友だちであることを示すレコードを友だちＤＢ１４２に記憶する。なお、ユーザデータを生成する際に、パスワード及びメールアドレスの設定を促す画面をユーザ端末３に表示させ、新規ユーザにパスワード及びメールアドレスを設定させてもよい。
【０１０２】
本実施の形態は以下の効果を奏する。ユーザ登録の操作は行えない、又はユーザ登録の操作が面倒で行わない人が、新規ユーザとして登録可能となる。それによって、既存ユーザによるユーザの拡大を図ることができる。既存ユーザはユーザ登録の操作は行えない、又はユーザ登録の操作が面倒で行わない人を登録させることにより、以後は、手紙プラットフォーム１００を利用した葉書の送付が可能となる。なお、本実施の形態は実施の形態１を拡張したものであるが、他の実施の形態を拡張することも可能である。
【０１０３】
（実施の形態６）
本実施の形態は住所データを暗号化して記憶する形態に関する。図２６はユーザＤＢ１４１のレコードレイアウトの他の例を示す説明図である。ユーザＤＢ１４１はＩＤ列、氏名列、電子メール列、パスワード列及びポイント列を含む。本実施の形態のユーザＤＢ１４１は実施の形態１のユーザＤＢ１４１から郵便番号列及び住所列を除いたものである。ＩＤ列、氏名列、電子メール列、パスワード列及びポイント列については、実施の形態１と同様であるので、説明を省略する。
【０１０４】
図２７は住所ＤＢ１４５のレコードレイアウトの一例を示す説明図である。住所ＤＢ１４５は例えば大容量記憶部１４に記憶する。住所ＤＢ１４５はＩＤ列、郵便番号列及び住所列を含む。ＩＤ列はユーザのＩＤを記憶する。郵便番号列はユーザの郵便番号を暗号化したものを記憶する。住所列はユーザの住所を暗号化したものを記憶する。郵便番号及び住所を暗号化するアルゴリズムは、公知の技術を用いることが可能である。
【０１０５】
本実施の形態において出力サーバ１が行う処理は、上述の実施の形態とほぼ同様である。異なる点を次に述べる。図１３等に示すステップＳ２５において、ＣＰＵ１１は宛先ユーザの氏名をユーザＤＢ１４１から取得する。ＣＰＵ１１は宛先ユーザの郵便番号及び住所は住所ＤＢ１４５から取得する。ＣＰＵ１１は取得した郵便番号及び住所を復号してから、出力する。
【０１０６】
本実施の形態においては、ユーザの郵便番号及び住所を暗号化してデータベース（住所ＤＢ１４５）に記憶する。それにより、郵便番号及び住所が漏洩するリスクを低減することが可能となる。なお、住所ＤＢ１４５を設けず、ユーザＤＢ１４１のレコードレイアウトを実施の形態１と同様にしても良い。この場合、ユーザＤＢ１４１の郵便番号列及び住所列それぞれには、暗号化した郵便番号及び暗号化した住所を記憶する。
【０１０７】
本実施の形態と同様に、実施の形態５においても、マイアドレスＤＢ１４４には郵便番号及び住所を記憶せず、他のデータベースに暗号化した郵便番号及び住所を記憶してもよい。この場合、図２４のステップＳ７６で入力内容を記憶するときに、郵便番号及び住所は暗号化して記憶する。
【０１０８】
（連携機能）
手紙プラットフォーム１００が有する互いに住所を教え合わなくても、物品を送り合える機能を他のシステムと連携させることも可能である。以下、連携機能について簡単に説明する。図２８はＩＤ変換ＤＢ１４６のレコードレイアウトの一例を示す説明図である。ＩＤ変換ＤＢ１４６はＩＤ列及びアドレスＩＤ列を含む。ＩＤ列は手紙プラットフォーム１００における各ユーザのｉＤを記憶する。アドレスＩＤ列はユーザが任意に定めたアドレスＩＤを記憶する。ただし、アドレスＩＤは他のユーザとの重複は許されない。出力サーバ１は他のシステムとの連携機能として、アドレスＩＤを受け付け、アドレスＩＤに対応づけられたユーザの氏名及び住所を出力するＡＰＩを備える。ＣＰＵ１１は他のシステムからアドレスＩＤを受け付ける。ＣＰＵ１１はＩＤ変換ＤＢ１４６を参照し、受け付けたアドレスＩＤに対応したＩＤを取得する。ＣＰＵ１１は取得したＩＤと対応するユーザの氏名、郵便番号及び住所をユーザＤＢ１４１又は住所ＤＢ１４５から取得する。ＣＰＵ１１は取得した郵便番号及び住所が暗号化されている場合は、復号化する。ＣＰＵ１１は氏名、郵便番号及び住所を出力する。
【０１０９】
当該連携機能により、手紙プラットフォーム１００とＥＣ（Ｅｌｅｃｔｒｏｎｉｃ  Ｃｏｍｍｅｒｃｅ）サイトとが連携することが可能である。ユーザはアドレスＩＤを教え合うことで、相手に住所を教えなくても連携するＥＣから物品を送り合えることが可能となる。また、教え合うのはＩＤと対応したアドレスＩＤである。アドレスＩＤとユーザの郵便番号及び住所は、直接対応付けられていない。それにより、アドレスＩＤを用いて、不正にユーザの郵便番号及び住所を盗み取られるリスクを低減することが可能となる。
【０１１０】
各実施の形態で記載されている技術的特徴（構成要件）はお互いに組み合わせ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【０１１１】
１００  手紙プラットフォーム
１      出力サーバ
１１    ＣＰＵ
１２    ＲＯＭ
１３    ＲＡＭ
１４    大容量記憶部
１４１  ユーザＤＢ
１４３  カードＤＢ
１４４  マイアドレスＤＢ
１４５  住所ＤＢ
１４６  ＩＤ変換ＤＢ
１５    通信部
１６    読み取り部
１Ｐ    制御プログラム
１ａ    可搬型記憶媒体
１ｂ    半導体メモリ
２      プリンタ
３      ユーザ端末
【図１】
2018088175.tif 000003
【図２】
2018088175.tif 000004
【図３】
2018088175.tif 000005
【図４】
2018088175.tif 000006
【図５】
2018088175.tif 000007
【図６】
2018088175.tif 000008
【図７】
2018088175.tif 000009
【図８】
2018088175.tif 000010
【図９】
2018088175.tif 000011
【図１０】
2018088175.tif 000012
【図１１】
2018088175.tif 000013
【図１２】
2018088175.tif 000014
【図１３】
2018088175.tif 000015
【図１４】
2018088175.tif 000016
【図１５】
2018088175.tif 000017
【図１６】
2018088175.tif 000018
【図１７】
2018088175.tif 000019
【図１８】
2018088175.tif 000020
【図１９】
2018088175.tif 000021
【図２０】
2018088175.tif 000022
【図２１】
2018088175.tif 000023
【図２２】
2018088175.tif 000024
【図２３】
2018088175.tif 000025
【図２４】
2018088175.tif 000026
【図２５】
2018088175.tif 000027
【図２６】
2018088175.tif 000028
【図２７】
2018088175.tif 000029
【図２８】
2018088175.tif 000030